(57)【要約】【課題】警備をセットした警備中に、鍵を使って電気錠を解錠した場合でも不要な発報をしないようにする。【解決手段】ドア１５の開閉センサ１１でドア１５が閉じられた状態を検出し、かつ、鍵による施錠と解錠を検出する施解錠センサ１９で施錠状態であることが検出される警備セット中に、電気錠１０が鍵により解錠されたことを前記施解錠センサ１９が検出すると、ドア１５を開ける前に警備セット状態を警告して、ドア１５の開放を未然に防止する。こうすることで、警備セット中に、鍵を使って解錠した場合でも不要な発報を防止する。【選択図】図１
2014067130.tif 000002
【特許請求の範囲】
【請求項１】
ドアの開閉と、ドアに設けられた電気錠の施錠と解錠を監視中の警備システムにおいて、
前記電気錠は、鍵以外の認証により施錠と解錠を行うとともに、鍵による施錠と解錠を行えるようにしたものであり、鍵による施錠と解錠を検出する施解錠センサを備えており、
ドアの開閉センサでドアが閉じられた状態が検出され、かつ、電気錠が施錠状態であることを検出中の警備セット中に、電気錠が鍵により解錠されたことを前記施解錠センサで検出すると、警備セット状態であることを警告するようにしたことを特徴とする警備システム。
【請求項２】
上記警備セット中に電気錠が鍵により解錠されると計時を開始して、所定時間経過してもドアが開放されないときは、施錠するようにしたことを特徴とする請求項１に記載の警備システム。
【発明の詳細な説明】
【技術分野】
【０００１】
この発明は、電気錠を使用した警備システムに関するものである。
【背景技術】
【０００２】
玄関ドアなどに取り付ける電気錠には、電子キー、リモコン、ＲＦＩＤタグ、カード、生態認証、テンキー・・・などのＩＤ認証により、施錠と解錠を行うものがある。例えば、特許文献１には、図５に示すように、電子キー（携帯機）１を使用したものが記載されている。この電子キー１は、電気錠２から送信されるチャレンジコードを受信するとレスポンスコード信号を返信する。電気錠２は、この返信信号が内部に登録されたＩＤコードと一致すれば、図６の符号３に示す表示部が赤色に点灯して解錠待機状態となり、図６の符号４のタッチスイッチに触れると解錠する。こうした電気錠２は、電子キー１の紛失や、故障、停電時の作動停止などの異常事態に備えて、例えば、図６の符号５に示すように、シリンダを設けて鍵（メカキー）による施錠と解錠ができるようにしている。
ところで、このような電気錠２は、ドアや窓に取り付けた開閉センサなどの各種センサとで警備システムを構築し、警備会社のシステムと連携することができる。
そして、外出時など、外からの不正解錠による侵入を防ぐ際に、警備会社の警備システムに連携させるため警備をセットする。
この警備セット状態は、帰宅時に解除する必要がある。この警備セットの解除は、従来、ＩＤ認証の方が鍵による解錠と比較して安全であるため、ＩＤ認証による解錠時に警備セット状態を自動的に解除する方式になっていた。
したがって、このようなシステムでは、通常は、ＩＤ認証を使用するので、解錠時に発報することはなかった。
【先行技術文献】
【特許文献】
【０００３】
【特許文献１】特開２００３−３４３１２９号公報
【発明の概要】
【発明が解決しようとする課題】
【０００４】
ところが、電子キーの紛失などで一時的に鍵を使って解錠しなければならない場合、鍵を使って解錠しても警備セット状態は解除されない。そのため、そのままドアを開けると、発報する恐れがあった。
このとき、鍵の使用においても自動的に警備セット状態を解除するようにすれば、先の問題は解決できる。
しかしながら、鍵による警備セットの解除は、ピッキングによる解錠の可能性や操作者が特定できないなどの不利な点があり、先に述べたように、鍵は、ＩＤ認証に比べて安全ではない。そのため、鍵の使用において警備セット状態を自動的に解除することはセキュリティのレベルを低下させる問題があった。
【０００５】
そこで、この発明の課題は、鍵を使って解錠した場合に不要な発報をしないようにすることである。
【課題を解決するための手段】
【０００６】
上記の課題を解決するため、この発明では、ドアの開閉と、ドアに設けられた電気錠の施錠と解錠を監視中の警備システムにおいて、前記電気錠は、鍵以外の認証により施錠と解錠を行うとともに、鍵による施錠と解錠を行えるようにしたものであり、鍵による施錠と解錠を検出する施解錠センサを備えており、ドアの開閉センサでドアが閉じられた状態が検出され、かつ、電気錠が施錠状態であることを検出中の警備セット中に、電気錠が鍵により解錠されたことを前記施解錠センサで検出すると、警備セット状態であることを警告するようにした構成を採用したのである。
【０００７】
このような構成を採用することにより、鍵で解錠すると、ドアを開ける前に警備セット状態を警告して、ドアの開放を未然に防ぐようにしたので、不要な発報を防止できる。
【０００８】
このとき、上記警備セット中に電気錠が鍵により解錠されると計時を開始して、所定時間経過してもドアが開放されないときは、施錠するようにした構成を採用することができる。
【０００９】
このような構成を採用することにより、鍵により解錠してドアを開けずに放置しても自動的に施錠できるので、セキュリティ状態を保てる。
【発明の効果】
【００１０】
上記のように構成したことにより、鍵を使って解錠した場合に不要な発報を防止できる。
【図面の簡単な説明】
【００１１】
【図１】実施形態のシステムブロック図
【図２】制御回路のブロック図
【図３】読み取りユニットの正面図
【図４】フローチャート
【図５】従来例の斜視図
【図６】図５の要部の正面図
【発明を実施するための形態】
【００１２】
以下、この発明を実施するための形態を図面に基づいて説明する。
この形態の警備システムは、図１に示すように、電気錠１０、ドアの開閉センサ（電気錠１０に内蔵）１１、読み取りユニット１２、窓用開閉センサ（図示せず）と操作電源盤１４で構成され、操作電源盤１４に、それら電気錠１０、読み取りユニット１２、開閉センサ１１が接続される構成となっている。
【００１３】
電気錠１０は、図１のように、玄関ドア１５に取り付けられたメイン電気錠１０ａとサブ電気錠１０ｂとからなり、前記電気錠１０には、ここでは、ストライク錠を使用している。そのため、玄関ドア１５には、内側と外側にドアハンドル１６を取付け、空錠１７を備えることでストライク錠を使用できるようにしている。
また、前記メインとサブの電気錠１０ａ、１０ｂには、室内側にサムターンを設けて手操作により施錠と解錠ができるようにするとともに、室外側にシリンダ１８を設けて非常時に鍵を使えるようにしてある。
さらに、メイン電気錠１０ａとサブ電気錠１０ｂには、デッドボルトの出没を検出して施錠と解錠を検出する施解錠センサ１９が設けてある。施解錠センサ１９は、例えば、デッドボルトの突出した位置を検出する施錠用センサと、デッドボルトが収納された位置を検出する解錠センサで構成され、前記センサは、具体的には、マイクロスイッチなどで構成することができる。
【００１４】
そして、メイン電気錠１０ａは、ドア１５の開閉センサ１１として磁気センサを備えている。一方、メイン電気錠１０ａのデッドボルトを受けるドア枠のトロヨケに磁石が内蔵されていて、この内蔵された磁石と磁気センサとで、ドア１５の開閉を検出する。
【００１５】
また、このメイン電気錠１０ａには、制御回路２０が搭載されている。制御回路２０は、図２に示すように、制御ＣＰＵ２１、モータ制御回路２２、通信回路２３、ＥＥＰＲＯＭ２４で構成され、ドア開閉センサ１１、施解錠センサ１９、を接続する構成になっている。
そして、制御回路２０は、通信回路２３を介して入力される読み取りユニット１２からのデータと施解錠センサ１９及びドア開閉センサ１１から検出出力に基づいてＥＥＰＲＯＭ２４に書き込まれた処理プログラムを実行し、メイン電気錠１０ａとサブ電気錠１０ｂのモータ２２を駆動して施錠と解錠を制御する。
【００１６】
この形態の読み取りユニット１２は、図３に示すような非接触カードキー２９の読み取り装置で、非接触用カード用リーダー・ライターを備えたもので、後述するようなタイマ処理のプログラムを実行するための処理装置（例えば、ワンチップＣＰＵ、マイクロコントローラ）を備えたものである。
ここでは、ドア１５の袖パネル２７の室外側に取り付けられている。この袖パネル２７に取り付けられた読み取りユニット１２の正面には、リーダー・ライター用アンテナ２８が配置されており、非接触カードキー２９に対する呼び出し波（電磁波）を常時送信し、かつ、その呼び出し波に対する非接触カードキー２９からの応答を待ち受ける。
さらに、読み取りユニット１２の正面には、施錠３０ａと解錠３０ｂを表示するための表示パネルが設けられており、内蔵の警告ブザーとで各種警報を表示するようになっている。例えば、表示パネルは、施錠状態から解錠状態になる際には、緑色に点灯した施錠パネル３０ａが消灯し、解錠パネル３０ｂが赤色に点灯して警告ブザーが「ピッ」と警告音を発する。また、後述するように、警報のセットを解除せずに鍵を使用した場合には、施錠３０ａと解錠３０ｂの表示パネルが緑色と赤色の点滅を繰り返し、警告ブザーが「ピッ、ピッ、ピッ・・・」と連続音を発するなどである。これ以外にも表示の仕方については、種々考えられる。
【００１７】
窓用開閉センサは、図示はしていないが、一般的な磁気センサとマグネットを使用したものである。
【００１８】
操作電源盤１４は、電気錠１０を操作するためのコントローラで、メイン電気錠１０ａと読み取りユニット１２が接続されている。そして、前記操作電源盤１４には、操作スイッチが設けられており、前記スイッチを操作してメイン電気錠１０ａの制御回路２０を制御することにより、電気錠１０の施錠と解錠を遠隔コントロールする。
また、操作電源盤１４は、インターホンを介して電話回線と接続された警備会社の警備システムと連携するようになっており、警備会社による警備ができるようになっている。
そして、操作電源盤１４は、警備セットモードにセットすると、電気錠１０の施解錠センサ１９から出力される解錠信号と、ドア１５の開閉センサ１１から出力される開放信号、及び窓の開閉センサから開放信号が発せられると、警備会社へ発報するようになっている。
なお、操作電源盤１４には、警備連動機器やＪＥＭ（日本電機工業会規格）−Ａ対応機器なども接続するようになっている。
【００１９】
この形態は、上記のように構成され、警備セット状態において鍵による操作による誤発報を防止する処理を行うようになっている。以下、その処理について図４を用いて説明する。
【００２０】
図４に示すように、ドア１５の電気錠１０を施錠し、窓も施錠した状態で（処理１００「処理」以下省略）、警備会社による警備をセットする。
このような警備セット状態では、読み取りユニット１２に非接触カードキー２９を翳して、読み取りユニット１２のリーダー・ライターからの呼び出し波（電磁波）を受信する。そして、この呼び出し波に応答して非接触カードキー２９から暗号キーのデータが送信されると、それを受信した読み取りユニット１２は、暗号キーによるＩＤ認証を行う（１１０）。その結果、認証ができると、警備セットが解除され（１１５）、電気錠１０が解錠されて（１２０）、処理を終了する（１６０）。したがって、ドア１５を開けても発報しない。
また、処理１１０で、非接触カードキー２９から暗号キーのデータが送信されず、鍵も使用されない場合は（１２５）、暗号キーによるＩＤ認証の待ち受け状態を保持する（１１０）、そして、暗号キーのデータが送信されると（１１０）、暗号キーによるＩＤ認証が行われて警備セットが解除され（１１５）、電気錠１０は解錠されて（１２０）、処理を終了する。
一方、処理１２５で、鍵による解錠が行われたことが施解錠センサ１９によって検出されると、メイン電気錠１０ａの制御回路２０は、その旨のデータを読み取りユニット１２へ送信して、読み取りユニット１２の施錠パネル３０ａと解錠パネル３０ｂの点滅表示とブザーにより警備セット状態であることを警告する。具体的には、施錠パネル３０ａと解錠パネル３０ｂが緑色と赤色の点滅を繰り返し、警告ブザーが「ピッ、ピッ、ピッ・・・」と連続音を発する。
この警告により、警備セット状態であることに気づいて、鍵の使用を止め、非接触カードキー２９を翳して認証した場合は（１３５）、暗号キーによるＩＤ認証が行われて警備セットが解除され（１１５）、電気錠１０は解錠される（１２０）。そのため、ドア１５を開けることができる。
このとき、非接触カードキー２９を翳さないで、ドア１５を閉じたままで放置した場合（例えば、カードを忘れた場合）は（１４０）、例えば、読み取りユニット１２に、タイマ処理のプログラムを備えて、前記タイマ処理プログラムを実行することにより（１４５）、Ｔ秒経過後に電気錠１０を施錠する（１５０）。このような処理を行うことにより施錠を忘れた場合でも施錠を行って安全を確保する。
ちなみに、このような非接触カードキー２９の無い場合は、警備会社に警備のセットを解除するように電話をして、解除後に鍵で解錠すれば良い。
また、前記警告を無視して、空巣などがドア１５を開けた場合は、ドア１５を開放したことがメイン電気錠１０ａに設けたドア開閉センサ１１により検出される（１４０）。そうすると、メイン電気錠１０ａの制御回路２０は、その旨のデータを操作電源盤１４へ送信する。操作電源盤１４は、発報処理を行ってドア１５が開放されたことを警備会社のシステムへ報知する。
【００２１】
このように、鍵により解錠すると、ドアを開ける前に警備セット状態を警告して、ドアの開放を未然に防止するようにできる。
【００２２】
なお、この形態では、ＩＤ認証に非接触カードキー２９を用いたが、前記カード２９に限定されるものではない。前記カードキー２９以外のＩＤ認証を行うものについても適用可能であることは当然である。
さらに、実施形態では、警告を施錠パネル３０ａと解錠パネル３０ｂの点滅表示とブザー音により行ったが、これに限定される物ではない。例えば、音声警告を行ったり、袖パネル２７に案内用デイスプレイを設けて動画などで行ったりしても良い。設置場所に応じた効果的な警告を行うのが好ましい。
【符号の説明】
【００２３】
１０  電気錠
１０ａ  メイン電気錠
１０ｂ  サブ電気錠
１１  ドア開閉センサ
１２  読み取りユニット
１４  操作電源盤
１５  ドア
１８  シリンダ
１９  施解錠センサ
２０  制御回路
２７  袖パネル
２９  非接触カードキー
３０ａ  施錠パネル
３０ｂ  解錠パネル
【図１】
2014067130.tif 000003
【図２】
2014067130.tif 000004
【図３】
2014067130.tif 000005
【図４】
2014067130.tif 000006
【図５】
2014067130.tif 000007
【図６】
2014067130.tif 000008